(57)【要約】【課題】ユーザー認証の機能を有する画像形成装置において、複数のユーザーに跨がる運用を円滑化する技術を提供する。【解決手段】画像形成装置は、ユーザー情報の入力を受け付ける操作表示部と、入力されたユーザー情報と認証用ユーザー情報が一致した場合に認証してログインを許容する認証部と、ログインされたユーザーであるログインユーザーに対して、ログイン中の画像形成装置の使用に対して課される課金を算出する課金部とを備える。認証部は、ログイン中の第１のユーザー以外の第２のユーザーのユーザー情報の入力を受け付けるための追加ログイン画面を操作表示部に表示させ、課金部は、追加ログイン画面を使用して第２のユーザーが第１のユーザーに加えて追加ログインした場合に、第１のユーザーと第２のユーザーを含む複数のログインユーザー毎に課金を算出する。【選択図】図１
2017183805.tif 000002
【特許請求の範囲】
【請求項１】
画像形成装置であって、
ユーザー情報の入力を受け付ける操作表示部と、
前記入力されたユーザー情報と認証用ユーザー情報が一致した場合に認証してログインを許容する認証部と、
前記ログインされたユーザーであるログインユーザーに対して、前記ログイン中の前記画像形成装置の使用に対して課される課金を算出する課金部と、
を備え、
前記認証部は、前記ログイン中の第１のユーザー以外の第２のユーザーのユーザー情報の入力を受け付けるための追加ログイン画面を前記操作表示部に表示させ、
前記課金部は、前記追加ログイン画面を使用して前記第２のユーザーが前記第１のユーザーに加えて追加ログインした場合に、前記第１のユーザーと前記第２のユーザーを含む複数のログインユーザー毎に前記課金を算出する画像形成装置。
【請求項２】
請求項１記載の画像形成装置であって、
前記認証部は、前記第１のユーザーが前記ログイン中に前記第２のユーザーが前記追加ログインした場合には、前記第１のユーザーによって前記画像形成装置で使用されているデータの前記第２のユーザーによる利用を許可し、
前記課金部は、前記第２のユーザーが前記データを使用して前記画像形成装置を使用した場合には、前記第２のユーザーによる前記画像形成装置の使用に対する課金を前記第２のユーザーに対して課金する画像形成装置。
【請求項３】
請求項１又は２に記載の画像形成装置であって、
前記認証部は、前記第１のユーザーが前記ログイン中に前記画像形成装置において複写機能を使用しているときに前記第２のユーザーによる前記追加ログインを許容し、
前記課金部は、前記画像形成装置で使用されているデータを使用して前記第２のユーザーが前記複写機能を使用した場合には、前記第２のユーザーによる前記複写機能の使用に対する課金を前記第２のユーザーに対して課金する画像形成装置。
【請求項４】
請求項１乃至３項のいずれか１項に記載の画像形成装置であって、
前記記憶部は、前記第２のユーザーに紐づけられているアドレス帳を記憶し、
前記認証部は、前記第１のユーザーが前記ログイン中に前記画像形成装置において送信機能を使用しているときに前記第２のユーザーが前記追加ログインした場合には、前記第２のユーザーに対して前記アドレス帳を使用した送信先の追加を許容し、
前記課金部は、前記追加された送信先に関する前記送信機能の使用に対する課金を前記第２のユーザーに対して課金する画像形成装置。
【請求項５】
請求項１乃至４項のいずれか１項に記載の画像形成装置であって、
前記認証部は、前記複数のログインユーザー毎のログアウトを受け付けるための個別ログアウト画面を前記操作表示部に表示させ、
前記課金部は、前記個別ログアウト画面を使用して前記複数のログインユーザーのうちのいずれかがログアウトした場合には、前記ログアウトに応じて前記ログアウトしたユーザーの前記ログイン中の課金を算出する画像形成装置。
【請求項６】
請求項１乃至５項のいずれか１項に記載の画像形成装置であって、
前記認証部は、前記追加ログインによって複数のユーザーを有するグループを構成し、前記複数のユーザーのそれぞれのユーザー情報によって前記グループへのログインを可能とし、
前記課金部は、予め設定されている設定に基づいて、前記グループと前記複数のユーザーとに対して前記画像形成装置の使用に対する課金を算出する画像形成装置。
【請求項７】
画像形成方法であって、
ユーザー情報の入力を受け付ける操作表示工程と、
前記入力されたユーザー情報と認証用ユーザー情報が一致した場合に認証してログインを許容する認証工程と、
前記ログインされたユーザーであるログインユーザーに対して、前記ログイン中の前記画像形成方法の使用に対して課される課金を算出する課金工程と、
を備え、
前記認証工程は、前記ログイン中の第１のユーザー以外の第２のユーザーのユーザー情報の入力を受け付けるための追加ログイン画面を前記操作表示工程で表示させ、
前記課金工程は、前記追加ログイン画面を使用して前記第２のユーザーが前記第１のユーザーに加えて追加ログインした場合に、前記第１のユーザーと前記第２のユーザーを含む複数のログインユーザー毎に前記課金を算出する画像形成方法。
【発明の詳細な説明】
【技術分野】
【０００１】
本発明は、画像形成装置及び画像形成方法における認証に関する。
【背景技術】
【０００２】
多機能プリンタや複合機（Ｍｕｌｔｉｆｕｎｃｔｉｏｎ  Ｐｅｒｉｐｈｅｒａｌ：ＭＦＰ）といった画像形成装置には、ユーザー認証の機能を有するものがある。ユーザー認証は、ユーザーが画像形成装置にログオン操作することによって、正規のユーザーであることを確認する処理である。正規のユーザーであることが確認されると、画像形成装置は、たとえばログインユーザーに対して課金を前提として所定の機能の利用を許可することができる。ただし、画像形成装置は、同時に複数ユーザーがログインすることができないことが通例である。端末等を介してログインするサーバー等と相違し、画像形成装置では、複数のログインユーザーの誰が操作しているか識別が困難だからである。一方、特許文献１は、複数の部門に配布するために各部門に複数部数の複写を行う場合に、ユーザーにとってその設定が容易となる画像形成装置を提供する技術を提案している。特許文献２は、記録動作中に予め設定した記録枚数分の記録紙の外に追加して記録する必要が生じた時に、運転効率の低下を招くこと無く、簡単な入力操作で追加記録する技術を提案している
【先行技術文献】
【特許文献】
【０００３】
【特許文献１】特開２００４−２４２１１６号公報
【特許文献２】特開昭６１−１８４５６０号公報
【発明の概要】
【発明が解決しようとする課題】
【０００４】
しかし、課金を前提とするログインを必要とする画像形成装置においては、特許文献１の技術では、各部門のユーザーが個別にログインして、それぞれ複写しなければならない。一方、特許文献２の技術は、ログインによって課金を配分させる画像形成装置には適用が困難である。
【０００５】
本発明は、このような状況に鑑みてなされたものであり、ユーザー認証の機能を有する画像形成装置において、複数のユーザーに跨がる運用を円滑化する技術を提供することを目的とする。
【課題を解決するための手段】
【０００６】
本発明の画像形成装置は、ユーザー情報の入力を受け付ける操作表示部と、前記入力されたユーザー情報と認証用ユーザー情報が一致した場合に認証してログインを許容する認証部と、前記ログインされたユーザーであるログインユーザーに対して、前記ログイン中の前記画像形成装置の使用に対して課される課金を算出する課金部とを備え、前記認証部は、前記ログイン中の第１のユーザー以外の第２のユーザーのユーザー情報の入力を受け付けるための追加ログイン画面を前記操作表示部に表示させ、前記課金部は、前記追加ログイン画面を使用して前記第２のユーザーが前記第１のユーザーに加えて追加ログインした場合に、前記第１のユーザーと前記第２のユーザーを含む複数のログインユーザー毎に前記課金を算出する。
【０００７】
本発明の画像形成方法は、ユーザー情報の入力を受け付ける操作表示工程と、前記入力されたユーザー情報と認証用ユーザー情報が一致した場合に認証してログインを許容する認証工程と、前記ログインされたユーザーであるログインユーザーに対して、前記ログイン中の前記画像形成方法の使用に対して課される課金を算出する課金工程とを備え、前記認証工程は、前記ログイン中の第１のユーザー以外の第２のユーザーのユーザー情報の入力を受け付けるための追加ログイン画面を前記操作表示工程で表示させ、前記課金工程は、前記追加ログイン画面を使用して前記第２のユーザーが前記第１のユーザーに加えて追加ログインした場合に、前記第１のユーザーと前記第２のユーザーを含む複数のログインユーザー毎に前記課金を算出する。
【発明の効果】
【０００８】
本発明によれば、ユーザー認証の機能を有する画像形成装置において、複数のユーザーに跨がる運用を円滑化する技術を提供することができる。
【図面の簡単な説明】
【０００９】
【図１】本発明の第１実施形態に係る画像形成装置１００の機能構成を示すブロックダイアグラムである。
【図２】第１実施形態に係る画像形成装置１００における複数ログイン処理の内容を示すフローチャートである。
【図３】第１実施形態に係るログイン状態におけるディスプレイ１３１の表示画面の一例を示す説明図である。
【図４】第１実施形態に係るジョブデータ流用処理におけるディスプレイ１３１の表示画面の一例を示す説明図である。
【図５】第２実施形態に係る画像形成装置１００におけるグループ設定処理の内容を示すフローチャートである。
【図６】第２実施形態に係るグループ設定処理におけるグループ設定画面の一例を示す説明図である。
【００１０】
以下、本発明を実施するための形態（以下、「実施形態」という）を、図面を参照して以下の順序で説明する。
Ａ．第１実施形態：
Ｂ．第２実施形態：
Ｃ．変形例：
【００１１】
Ａ．第１実施形態：
図１は、本発明の第１実施形態に係る画像形成装置１００の機能構成を示すブロックダイアグラムである。画像形成装置１００は、制御部１１０と、画像形成部１２０と、操作表示部１３０と、記憶部１４０と、外部ＩＦ部１５０と、ファックス送受信部１６０とを備えている。外部ＩＦ部１５０は、認証用のＩＣカード（図示せず）や外部メモリー（図示せず）とのアクセスを制御する。ファックス送受信部１６０は、ファックス送受信機能を実行する。
【００１２】
制御部１１０は、認証部１１１と、課金部１１２とを備える。認証部１１１は、認証用のＩＣカード（図示せず）に記憶されているユーザー情報（ユーザー名とパスワード）を外部ＩＦ部１５０を介して取得してユーザー認証を行い、ユーザーによるログインを許容する。制御部１１０は、ログインに応じて画像形成装置１００の利用制限を解除する。利用制限は、たとえば各ユーザーに対する課金を前提として認められている複写等の機能に対する制限である。
【００１３】
制御部１１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェイスに関連するコントローラ機能を備え、画像形成装置１００全体を制御する。
【００１４】
画像形成部１２０は、画像読取部１２１と、画像処理部１２２と、画像出力部１２３とを備えている。画像読取部１２１は、原稿から画像を読み取ってスキャンデータを生成する。画像処理部１２２は、印刷設定に従ってスキャンデータを処理して印刷データを生成する。画像出力部１２３は、印刷データに基づいて印刷媒体上に印刷を行う。
【００１５】
操作表示部１３０は、ディスプレイ１３１と、操作処理部１３８とを備えている。ディスプレイ１３１は、タッチパネルとして機能し、様々なメニューを入力画面として表示する。操作処理部１３８は、タッチパネルとして機能するディスプレイ１３１や各種ボタンやスイッチ（図示せず）からユーザーの操作入力を受け付ける。
【００１６】
記憶部１４０は、さらに、アドレス帳１４１と、ボックス用記憶領域１４２と、ユーザー情報記憶領域１４３とを備えている。本実施形態では、ユーザー情報記憶領域１４３には、各ユーザーの認証用ユーザー情報（ユーザー名とパスワード）が記録されている。ボックス用記憶領域１４２には、各ユーザーが利用可能な記憶領域が割り当てられている。ユーザー情報記憶領域１４３には、各ユーザーの認証用パスワードその他の個人情報が記憶され、アドレス帳１４１に記録されているユーザー記録と紐付けられている。
【００１７】
図２は、第１実施形態に係る画像形成装置１００における複数ログイン処理の内容を示すフローチャートである。第１実施形態では、予めユーザーＡが画像形成装置１００にログインし、ログイン状態にあるものとする。ログインとは、この例では、ユーザーＡが認証部１１１によって認証されることによってログインユーザーとなることを意味する。ログイン状態とは、ログインユーザーとなったユーザーＡの画像形成装置１００における操作や処理の記録が行われ、課金のための料金算出が可能な状態である。
【００１８】
ステップＳ１１０では、ユーザーＢは、ディスプレイ１３１にホーム画面１３１ａ（図３（ａ）参照）を表示する。ホーム画面１３１ａは、画像形成装置１００が有する操作表示部１３０のホーム画面スイッチ（図示せず）を押下することによって表示される。
【００１９】
図３は、第１実施形態に係るログイン状態におけるディスプレイ１３１の表示画面の一例を示す説明図である。ディスプレイ１３１は、コピー、共通設定、ファックス及びボックスの各機能を使用するためのアイコンが表示されている。なお、ログアウトアイコン１３３ａ、追加ログインアイコン１３４ａ及びグループ設定アイコン１３９ａについては後述する。
【００２０】
ステップＳ１２０では、制御部１１０は、他のユーザーがログイン中か否かを判断する。ログイン中の場合には、処理がステップＳ１３０に進められ、ログイン中でない場合には、処理がステップＳ１９０に進められる。この例では、ユーザーＡがログインしている状態（ログイン状態）なので、処理がステップＳ１３０に進められる。
【００２１】
ステップＳ１３０では、制御部１１０は、ホーム画面１３１ａにおいて追加ログインアイコン１３４ａ及びログアウトアイコン１３３ａを表示させる。追加ログインアイコン１３４ａは、ユーザーＡに加えて、ユーザーＢがログインするためのアイコンである。ログアウトアイコン１３３ａは、ユーザーＢが単独で新規ログイン（ステップＳ１９０）するためにユーザーＡがログアウトするためのアイコンである。
【００２２】
ステップＳ１３０では、ユーザーＢは、目的に応じて追加ログインアイコン１３４ａ又はログアウトアイコン１３３ａをタッチすることができる。追加ログインによれば、画像形成装置１００を使用中のユーザーＡが処理中のジョブをユーザーＢも利用可能となる。新規ログイン（ステップＳ１９０）によれば、画像形成装置１００を使用中のユーザーＡが処理中のジョブが全て消去され、ユーザーＢが新規に画像形成装置１００を利用可能となる。追加ログインアイコン１３４ａがタッチされると、処理がステップＳ１５０に進められ、ログアウトアイコン１３３ａがタッチされると、処理がステップＳ１９０に進められる（ステップＳ１４０）。
【００２３】
ステップＳ１５０では、制御部１１０は、追加ログイン処理を実行する。追加ログインアイコン１３４ａがタッチされると、ディスプレイ１３１に追加ログイン用画面１３１ｂ（図３（ｂ）参照）を表示する。ユーザーＢが自己のＩＣカード（図示せず）を画像形成装置１００の図示しない検知面に近づけると、ＯＫアイコン１３５ｂが表示される。ＯＫアイコン１３５ｂがタッチされると、ユーザーＡに加えてユーザーＢがログイン状態となる。
【００２４】
認証部１１１は、ユーザーＡによる処理内容と、ユーザーＢによる処理内容とを別個に記録開始（ログ開始）する。この例では、ユーザーＡが１件の複写処理（複写ジョブとも呼ばれる。）を完了し、２件目を実行している最中である。
【００２５】
ステップＳ１６０では、制御部１１０は、複写データ記憶処理を実行する。複写データ記憶処理は、ユーザーＡがログイン状態にあるときに画像形成装置１００での複写処理に使用されているジョブデータ（この例では、複写データ）をボックス用記憶領域１４２に記憶する処理である。複写データは、ボックス用記憶領域１４２内においてユーザーＢに割り当てられている領域に記憶される。
【００２６】
ステップＳ１７０では、ユーザーＢは、ジョブデータ流用処理を実行する。ジョブデータ流用処理は、ボックス用記憶領域１４２内でユーザーＢに割り当てられている領域に記憶されているユーザーＡのジョブデータをユーザーＢが利用して複写処理を実行する処理である。
【００２７】
図４は、第１実施形態に係るジョブデータ流用処理におけるディスプレイ１３１の表示画面の一例を示す説明図である。図４（ａ）は、利用可能ジョブの選択画面１３１ｃを示している。図４（ｂ）は、処理内容設定画面１３１ｄを示している。選択画面１３１ｃでは、ボックス用記憶領域１４２に記憶されているユーザーＡの複数のジョブデータの中からジョブデータを選択することができる。この例では、ユーザーＢは、複写ジョブ（出力中）のチェックボックスにチェックを入れ、複写ジョブ（出力中）を選択している。
【００２８】
図４（ｂ）では、ユーザーＢは、図示しないキーボードで部数（この例では、１５部）を設定している。図４（ｂ）は、他の印刷設定画面を表示するための印刷設定アイコン１３６ｄと、ユーザー変更アイコン１３７ｄと、ＯＫアイコン１３５ｄとを有している。印刷設定アイコン１３６ｄは、印刷設定画面を表示させるためのアイコンである。印刷設定画面では、たとえば片面印刷から裏面印刷への印刷設定の変更を行うことができる。
【００２９】
ユーザー変更アイコン１３７ｄは、たとえばユーザーＢからユーザーＡに戻ってユーザーＡ課金する場合、あるいは３人以上がログイン状態の場合に、課金対象のユーザーを選択するためのアイコンである。画像形成装置１００は、複数ログイン状態では、誰が課金対象となっているユーザーであるかを常時ディスプレイ１３１に表示する。
【００３０】
ユーザー変更アイコン１３７ｄは、ログイン中のユーザーのみが選択可能となるように構成されている。たとえばユーザーＡがログイン状態にあるときに、２人のユーザーＢ，Ｃが追加ログインした場合には、ユーザーＡ〜Ｃの誰でも選択することができる。しかしながら、たとえばユーザーＡがログアウトすると、課金部１１２は、ユーザーＡの選択を許可しないように構成されている。これにより、ログアウト後に他のユーザーによる過誤の課金や不正使用を防止することができる。さらに、課金は、ユーザー毎に割り当てるだけでなく、複数のユーザーに対して所定の割合で配分するように設定可能としてもよい。
【００３１】
ステップＳ１８０では、制御部１１０が有する課金部１１２は、ログイン状態におけるユーザーＡとユーザーＢのそれぞれの処理内容の記録（ログ）に基づいて、ログイン時の課金の額を算出する。
【００３２】
このように、第１実施形態によれば、画像形成装置１００は、複数のユーザーのログイン状態を許容し、相互のジョブデータの流用を可能することによって画像形成装置１００の利便性を高めている。一方、画像形成装置１００は、ログイン状態の複数のユーザーの処理内容の記録（ログ）を個別に管理するので、各ユーザーに対して適切に課金することができる。さらに、追加ログインは、ログイン状態にあるユーザーが画像形成装置１００を操作している状態、すなわち、相互に立ち会う状態で行われるので、不正に使用される事態を抑制することもできる。
【００３３】
Ｂ．第２実施形態：
図５は、第２実施形態に係る画像形成装置１００におけるグループ設定処理の内容を示すフローチャートである。グループ設定処理は、複数のユーザーでグループを設定することによって以下のような処理を可能とする処理である。
（１）マルチキャストアドレスを使用してグループメンバーへの一斉配信
（２）グループメンバー数のコピーセット枚数の自動設定
（３）各グループメンバーへの課金の振り分け
【００３４】
グループ設定によれば、たとえば複数の部署に跨がるプロジェクトグループが設定された場合に、プロジェクトグループの各メンバーのＩＣカードが個人としてだけではなく、グループとして認証可能となる。グループ設定処理は、以下のようにして実行される。なお、初期状態として、ユーザーＡがログインしているものとする。
【００３５】
ステップＳ２１０では、ユーザーＢは、グループ設定処理を起動させる。グループ設定処理は、ディスプレイ１３１に表示されているホーム画面１３１ａ（図３（ａ）参照）でグループ設定アイコン１３９ａをタッチすることによって起動される。
【００３６】
図６は、第２実施形態に係るグループ設定処理におけるグループ設定画面１３１ｅ、１３１ｆの一例を示す説明図である。グループ設定画面１３１ｅは、現在、グループ設定中であることを示している。グループ設定画面１３１ｅは、グループメンバーのリストを示すウィンドウＷと、グループメンバーを追加するためのメンバー追加アイコン１３６ｅと、グループメンバーの追加を完了させる完了アイコン１３５ｅとを有している。
【００３７】
ステップＳ２２０では、ユーザーＢは、メンバー追加アイコン１３６ｅをタッチする。メンバー追加アイコン１３６ｅへのタッチに応じて、制御部１１０は、ＩＣカードによるユーザー認証の待機状態となって、グループ設定画面１３１ｆをディスプレイ１３１に表示させる。
【００３８】
ステップＳ２３０では、ユーザーＢは、自己のＩＣカード（図示せず）を画像形成装置１００の図示しない検知面に近づける。これに応じて、グループ設定画面１３１ｆは、ＯＫアイコン１３５ｆを表示する。ＯＫアイコン１３５ｆがタッチされると、ユーザーＡとユーザーＢとで新規グループが設定される。この状態は、図６（ａ）のウィンドウＷに表示されている。
【００３９】
ステップＳ２４０では、ユーザーＣは、メンバー追加アイコン１３６ｅをタッチする。これにより、処理がステップＳ２２０に戻され、ユーザーＢのメンバー追加と同様の操作でユーザーＣがメンバーに追加される。他に追加されるべきメンバーがいないときには、完了アイコン１３５ｅがタッチされ、処理がステップＳ２５０に進められる。
【００４０】
ステップＳ２５０では、ユーザーＡは、グループ名他の各種設定を実行する。具体的には、ユーザーＡ〜Ｃの全員に送信するためのマルチキャストアドレス（グループアドレスとも呼ばれる。）や課金の配分についても設定が行われる。課金は、たとえば各ユーザーによる画像形成装置１００の使用に応じた課金やグループの予算が配分されている場合には、グループに対して課金が設定される。さらに、ボックス用記憶領域１４２には、グループ用の記憶領域が設定可能である
【００４１】
ステップＳ２６０では、ユーザーＡは、権限設定を行う。権限設定は、たとえば管理者としてユーザーＡを管理者として設定し、他のユーザーＢ，Ｃをグループユーザーとして設定し以下のような権限を設定することができる。
（１）メンバー情報（管理者のみがアクセス可能）
（２）ボックス用記憶領域１４２内のグループ用の記憶領域へのアクセス（グループユーザーがアクセス可能）
（３）ジョブデータ流用（グループユーザーがアクセス可能又は一般ユーザーに開放）
【００４２】
なお、ジョブデータは、グループ内においては、ユーザーＡ〜Ｃのうちの１人のログインで自由に流用可能とするように設定できる。具体的には、ユーザーＡは、簡単な操作でボックス用記憶領域１４２内の各ユーザーに割り当てられている記憶領域に転送し、ジョブを実行することができる。ただし、課金対象者をログインユーザー（たとえばユーザーＡ）やグループでなく、他のユーザー（たとえばユーザーＢ又はユーザーＣ）とする場合には、ユーザーＢ又はユーザーＣのＩＣカードによる承認を求めるように設定することも可能である。
【００４３】
ユーザーＡ〜Ｃは、それぞれ自己のＩＣカードを使用して、必要に応じてグループとして又は個人としてログインすることができる。さらに、ユーザーＡ〜Ｃは、それぞれ自己のＩＣカードを使用して、いつでもグループから脱退することもできる。グループメンバーが１人となったら、グループが自動的に消滅するようにしてもよい。
【００４４】
このように、第２実施形態によれば、ユーザーＡ〜Ｃは、画像形成装置１００の近傍で同時にグループを設定することができるので、相互承認を得た状態で簡易にグループを設定することができる。これにより、ユーザー認証の機能を有する画像形成装置１００は、画像形成装置において、複数のユーザーに跨がる運用を円滑化することができる。
【００４５】
本発明は、上記各実施形態だけでなく、以下のような変形例でも実施することができる。
【００４６】
Ｃ．変形例
変形例１：上記実施形態では、ユーザー認証にＩＣカードが使用されているが、たとえばユーザー名とパスワードを入力することによって認証する場合にも本発明は適用可能である。
【００４７】
変形例２：上記実施形態では、ジョブデータの流用対象は、複写処理のジョブデータであるが、これに限られない。たとえばユーザーＡが送信処理を行っている場合に、ジョブデータとして送信データをユーザーＢが流用し、アドレス帳１４１においてユーザーＢに紐付けられているアドレスを使用してファックス通信を実行するようにしてもよい。この場合、ファックス通信の通信費は、ユーザーＢに紐付けられているアドレスに関する通信についてはユーザーＢに課金されることになる。さらに、複写処理のジョブデータを流用して送信処理を行うことも可能である。
【００４８】
変形例３：上記実施形態では、記憶部１４０のユーザー情報記憶領域１４３に記録されている認証用ユーザー情報（ユーザー名とパスワード）を使用してユーザー認証（入力されたユーザー情報と認証用ユーザー情報の一致）が行われている。しかしながら、ユーザー認証の方法は、このような方法に限られず、たとえば画像形成装置１００に接続されているサーバー（図示せず）にユーザー情報を送信し、サーバーで認証するようにしてもよい。この場合、画像形成装置１００は、サーバーから認証結果を受信することになる。
【００４９】
あるいは、画像形成装置１００は、認証用ユーザー情報をサーバーから取得し、取得した認証用ユーザー情報を使用して、画像形成装置１００でユーザー認証を行うようにしてもよい。このように、本発明で利用可能な認証部は、認証処理の方法を問わず、広く一般に、入力されたユーザー情報と認証用ユーザー情報とが一致した場合に認証してログインを許容するものであればよい。
【００５０】
変形例４：上記実施形態のジョブデータ流用処理では、ユーザーＡがログイン状態にあるときに画像形成装置１００での複写処理に使用されているジョブデータを、ボックス用記憶領域１４２内でユーザーＢに割り当てられている領域に記憶することによって、ユーザーＢが利用できるようにしている。これにより、ユーザーＡによって画像形成装置１００で使用されているデータをユーザーＢが利用できることになる。しかしながら、ジョブデータの流用は、たとえばＲＡＭに格納されているジョブデータをログイン中の誰でもが利用可能（許可）とするように構成することで実現してもよい。
【符号の説明】
【００５１】
１００  画像形成装置
１１０  制御部
１１１  認証部
１１２  課金部
１２０  画像形成部
１２１  画像読取部
１２２  画像処理部
１２３  画像出力部
１３０  操作表示部
１３１  ディスプレイ
１４０  記憶部
１４１  アドレス帳
１４２  ボックス用記憶領域
１４３  ユーザー情報記憶領域
１５０  外部ＩＦ部
１６０  ファックス送受信部
【図１】
2017183805.tif 000003
【図２】
2017183805.tif 000004
【図３】
2017183805.tif 000005
【図４】
2017183805.tif 000006
【図５】
2017183805.tif 000007
【図６】
2017183805.tif 000008